(57)【要約】【課題】より確実に、完成度の高い画像を提供する。【解決手段】表示制御部は、撮影により得られる撮影画像に合成される合成用画像の選択画面を表示し、撮影処理部は、カメラを制御することで、１回の撮影を所定の撮影時間をかけて行う。撮影処理部は、選択画面において第１の種類の合成用画像が選択された場合の、撮影時間のスタートからカメラがシャッタ動作を開始するまでの時間である撮影前時間が、第２の種類の合成用画像が選択された場合の撮影前時間と比較して長くなるように、撮影を行う。本技術は、例えば、写真シール作成装置に適用することができる。【選択図】図１９
2018133770.tif 000002
【特許請求の範囲】
【請求項１】
撮影により得られる撮影画像に合成される合成用画像の選択画面を表示する表示制御部と、
カメラを制御することで、１回の撮影を所定の撮影時間をかけて行う撮影処理部と
を備え、
前記撮影処理部は、前記選択画面において第１の種類の合成用画像が選択された場合の、前記撮影時間のスタートから前記カメラがシャッタ動作を開始するまでの時間である撮影前時間が、第２の種類の合成用画像が選択された場合の前記撮影前時間と比較して長くなるように、撮影を行う
写真作成ゲーム機。
【請求項２】
前記撮影処理部は、前記カメラのシャッタ動作より前に、前記カメラに取り込まれたライブビュー画像に前記選択画面において選択された前記合成用画像を合成して表示する
請求項１に記載の写真作成ゲーム機。
【請求項３】
前記撮影前時間は、前記ライブビュー画像が表示される時間である
請求項２に記載の写真作成ゲーム機。
【請求項４】
前記第１の種類の合成用画像は、前記撮影画像の撮影範囲において、被写体となる人物の位置を規定する画像である
請求項３に記載の写真作成ゲーム機。
【請求項５】
前記第１の種類の合成用画像は、前記撮影画像において、前記人物の上層レイヤに合成される前景画像を含む画像である
請求項４に記載の写真作成ゲーム機。
【請求項６】
前記第１の種類の合成用画像は、前記撮影画像において、前記人物の所定の部分だけを露出させる画像である
請求項５に記載の写真作成ゲーム機。
【請求項７】
前記人物の所定の部分は、顔である
請求項６に記載の写真作成ゲーム機。
【請求項８】
前記第１の種類の合成用画像は、前記撮影画像において、前記人物の下層レイヤに合成される背景画像を含む画像である
請求項４に記載の写真作成ゲーム機。
【請求項９】
前記撮影処理部は、
前記カメラのシャッタ動作の後に、撮影により得られた前記撮影画像をプレビュー表示し、
前記選択画面において前記第１の種類の合成用画像が選択された場合の、プレビュー表示を行う時間であるプレビュー表示時間が、前記第２の種類の合成用画像が選択された場合の前記プレビュー表示時間と比較して短くなるように、前記撮影画像をプレビュー表示する
請求項１乃至８のいずれかに記載の写真作成ゲーム機。
【請求項１０】
前記撮影処理部は、
複数回の撮影を行い、
前記選択画面において前記第１の種類の合成用画像が選択された場合の撮影回数が、前記第２の種類の合成用画像が選択された場合の前記撮影回数と比較して少なくなるように、撮影を行う
請求項１に記載の写真作成ゲーム機。
【請求項１１】
前記表示制御部は、利用者により選択されたコースに応じて、前記第１の種類の合成用画像を前記選択画面に表示する
請求項１に記載の写真作成ゲーム機。
【請求項１２】
撮影により得られる撮影画像に合成される合成用画像の選択画面を表示する表示制御部と、
カメラを制御することで、１回の撮影を所定の撮影時間をかけて行う撮影処理部と
を備える写真作成ゲーム機の撮影方法であって、
前記撮影処理部が、前記選択画面において第１の種類の合成用画像が選択された場合の、前記撮影時間のスタートから前記カメラがシャッタ動作を開始するまでの時間である撮影前時間が、第２の種類の合成用画像が選択された場合の前記撮影前時間と比較して長くなるように、撮影を行う
ステップを含む撮影方法。
【発明の詳細な説明】
【技術分野】
【０００１】
本技術は、写真作成ゲーム機および撮影方法に関し、特に、完成度の高い画像を提供することができるようにする写真作成ゲーム機および撮影方法に関する。
【背景技術】
【０００２】
従来、アミューズメント施設等に設置される写真シール機が知られている。写真シール機は、利用者を撮影し、利用者の操作に応じて撮影画像に対して編集を施す。写真シール機は、編集が施された撮影画像をシール紙に印刷する。
【０００３】
従来、複数の撮影画像から動画像を生成する写真シール機が知られている。また、特許文献１には、サーバが、複数の撮影画像を用いて動画像を生成し、携帯端末に提供することが記載されている。
【先行技術文献】
【特許文献】
【０００４】
【特許文献１】特開２０１５−１７９４８０号公報
【発明の概要】
【発明が解決しようとする課題】
【０００５】
ところで近年、写真シール機において、撮影前に表示されるライブビュー画像に、利用者により選択された合成用画像を合成して表示することが行われている。
【０００６】
例えば合成用画像として、人物の顔だけを顔枠から露出させるような前景画像（以下、顔ハメ画像などという）が選択された場合、利用者は、ライブビュー画像を確認しながら、自身の顔の位置を顔ハメ画像の顔枠に合わせるように立ち位置を決定する。
【０００７】
しかしながら、顔ハメ画像の顔枠に合わせるように立ち位置を決定することは、慣れていない利用者にとっては容易ではなく、立ち位置の決定に失敗すると、顔枠に対して顔が小さすぎたり、逆に大きすぎたりしてしまい、結果として、画像の完成度が低下してしまう。
【０００８】
本技術は、このような状況に鑑みてなされたものであり、より確実に、完成度の高い画像を提供することができるようにするものである。
【課題を解決するための手段】
【０００９】
本技術の写真作成ゲーム機は、撮影により得られる撮影画像に合成される合成用画像の選択画面を表示する表示制御部と、カメラを制御することで、１回の撮影を所定の撮影時間をかけて行う撮影処理部とを備え、前記撮影処理部は、前記選択画面において第１の種類の合成用画像が選択された場合の、前記撮影時間のスタートから前記カメラがシャッタ動作を開始するまでの時間である撮影前時間が、第２の種類の合成用画像が選択された場合の前記撮影前時間と比較して長くなるように、撮影を行う。
【００１０】
本技術の撮影方法は、撮影により得られる撮影画像に合成される合成用画像の選択画面を表示する表示制御部と、カメラを制御することで、１回の撮影を所定の撮影時間をかけて行う撮影処理部とを備える写真作成ゲーム機の撮影方法であって、前記撮影処理部が、前記選択画面において第１の種類の合成用画像が選択された場合の、前記撮影時間のスタートから前記カメラがシャッタ動作を開始するまでの時間である撮影前時間が、第２の種類の合成用画像が選択された場合の前記撮影前時間と比較して長くなるように、撮影を行うステップを含む。
【００１１】
本技術においては、前記選択画面において第１の種類の合成用画像が選択された場合の、前記撮影時間のスタートから前記カメラがシャッタ動作を開始するまでの時間である撮影前時間が、第２の種類の合成用画像が選択された場合の前記撮影前時間と比較して長くなるように、撮影が行う。
【発明の効果】
【００１２】
本技術によれば、より確実に、完成度の高い画像を提供することが可能となる。
【図面の簡単な説明】
【００１３】
【図１】本技術の写真シール作成装置の外観の構成例を示す斜視図である。
【図２】写真シール作成装置の外観を他の角度からみた斜視図である。
【図３】利用者の移動について説明する図である。
【図４】事前選択部の構成例を示す図である。
【図５】撮影部の構成例を示す図である。
【図６】背景部の構成例を示す図である。
【図７】編集ユニットの正面の構成例を示す図である。
【図８】編集ユニットの側面の構成例を示す図である。
【図９】写真シール作成装置の内部の構成例を示すブロック図である。
【図１０】制御部の機能構成例を示すブロック図である。
【図１１】事前選択処理部の機能構成例を示すブロック図である。
【図１２】撮影処理部の機能構成例を示すブロック図である。
【図１３】写真シール作成ゲーム処理について説明するフローチャートである。
【図１４】事前選択処理について説明するフローチャートである。
【図１５】いたずらムービー選択画面の例を示す図である。
【図１６】撮影処理について説明するフローチャートである。
【図１７】いたずらムービー撮影処理について説明するフローチャートである。
【図１８】ライブビュー表示画面の例を示す図である。
【図１９】撮影時間について説明する図である。
【図２０】撮影時間について説明する図である。
【図２１】合成用画像の例を示す図である。
【発明を実施するための形態】
【００１４】
以下、本技術を適用した具体的な実施の形態について、図面を参照しながら詳細に説明する。
【００１５】
＜写真シール作成装置の外観構成＞
図１および図２は、写真シール作成装置１の外観の構成例を示す斜視図である。
【００１６】
写真シール作成装置１は、撮影画像や編集画像を提供するゲーム機である。写真シール作成装置１は、画像をシール紙に印刷したり、画像を利用者の携帯端末上で閲覧可能にするためにその画像をサーバに送信することで、利用者に画像を提供する。写真シール作成装置１は、アミューズメント施設や店舗に設置される。写真シール作成装置１の利用者は、主に女子高生や若い女性が中心とされる。写真シール作成装置１において、１組あたり主に２人や３人などの複数人の利用者がゲームを楽しむことができる。もちろん、写真シール作成装置１において、１人の利用者がゲームを楽しむこともできる。
【００１７】
写真シール作成装置１において、利用者は、自身が被写体となって撮影作業を行う。利用者は、編集作業により、撮影によって得られた撮影画像の中から選択した画像に、手書きの文字やスタンプ画像などの合成用画像を合成させる。これにより、撮影画像が彩り豊かな画像に編集される。利用者は、編集済みの画像である編集画像が印刷されたシール紙を受け取って一連のゲームを終了させる。
【００１８】
図１に示すように、写真シール作成装置１は、基本的に、撮影ユニット１１と編集ユニット１２が接した状態で設置されることによって構成される。
【００１９】
撮影ユニット１１は、事前選択部２０、撮影部２１、および背景部２２から構成される。事前選択部２０は、撮影部２１の側面に設置される。事前選択部２０の前方の空間が、事前選択処理が行われる事前選択空間となる。また、撮影部２１と背景部２２は所定の距離だけ離れて設置される。撮影部２１と背景部２２の間に形成される空間が、撮影処理が行われる撮影空間となる。
【００２０】
事前選択部２０は、事前選択処理として、写真シール作成装置１によって提供されるゲームを紹介するガイダンスを行ったり、撮影空間で行われる撮影処理における各種の設定を行ったりする。事前選択部２０には、利用者が代金を投入する硬貨投入口や、各種の操作に用いられるタッチパネルモニタなどが設けられる。事前選択部２０は、撮影空間の空き状況に応じて、適宜、事前選択空間にいる利用者を撮影空間へと案内する。
【００２１】
撮影部２１は、利用者を被写体として撮影するための装置である。撮影部２１は、撮影空間に入った利用者の正面に位置する。撮影空間に臨む撮影部２１の正面には、カメラや、各種の操作に用いられるタッチパネルモニタなどが設けられる。撮影空間において正面を向いている利用者からみて左側の面を左側面、右側の面を右側面とすると、撮影部２１の左側面が側面パネル４１Ａにより構成され、右側面が側面パネル４１Ｂにより構成される。さらに、撮影部２１の正面が正面パネル４２により構成される。側面パネル４１Ａには、上述した事前選択部２０が設置されるものとする。なお、事前選択部２０は、側面パネル４１Ｂに設置されるようにしてもよいし、側面パネル４１Ａ，４１Ｂの両方に設置されるようにしてもよい。
【００２２】
背景部２２は、背面パネル５１、側面パネル５２Ａ、および側面パネル５２Ｂから構成される。背面パネル５１は、正面を向いている利用者の背面側に位置する板状の部材である。側面パネル５２Ａは、背面パネル５１の左端に取り付けられ、側面パネル４１Ａより横幅の狭い板状の部材である。側面パネル５２Ｂは、背面パネル５１の右端に取り付けられ、側面パネル４１Ｂより横幅の狭い板状の部材である。
【００２３】
側面パネル４１Ａと側面パネル５２Ａは、ほぼ同一平面に設けられる。側面パネル４１Ａと側面パネル５２Ａの上部は、板状の部材である連結部２３Ａによって連結される。側面パネル４１Ａと側面パネル５２Ａの下部は、床面に設けた例えば金属製の部材である連結部２３Ａ’によって連結される。側面パネル４１Ｂと側面パネル５２Ｂも同様に、ほぼ同一平面に設けられる。側面パネル４１Ｂと側面パネル５２Ｂの上部は、連結部２３Ｂによって連結される。側面パネル４１Ｂと側面パネル５２Ｂの下部は、連結部２３Ｂ’によって連結される。
【００２４】
なお、背面パネル５１の撮影空間側の面には、例えば緑色のクロマキー用のシートが貼り付けられる。写真シール作成装置１は、クロマキー用のシートを背景として撮影することで、撮影処理や編集処理においてクロマキー合成を行う。これにより、利用者が所望する背景画像がシートの部分に合成される。
【００２５】
側面パネル４１Ａ、連結部２３Ａ、および側面パネル５２Ａに囲まれることによって形成される開口が撮影空間の出入り口となる。また、側面パネル４１Ｂ、連結部２３Ｂ、および側面パネル５２Ｂに囲まれることによって形成される開口も撮影空間の出入り口となる。
【００２６】
撮影空間の上方には、撮影部２１の正面、連結部２３Ａ、および連結部２３Ｂに囲まれた天井が形成される。その天井の一部に、天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて光を照射するストロボを内蔵する。天井ストロボユニット２４の内部には、ストロボの他に蛍光灯が設けられている。これにより、天井ストロボユニット２４は、撮影空間の照明としても機能する。
【００２７】
編集ユニット１２は、撮影画像に編集を施すための装置である。編集ユニット１２は、一方の側面が撮影部２１の正面パネル４２に接するようにして、撮影ユニット１１に連結している。
【００２８】
図１に示される編集ユニット１２の構成を正面側の構成とすると、編集ユニット１２の正面側と背面側のそれぞれに、編集作業で用いられる構成が設けられる。この構成により、２組の利用者が同時に編集作業を行うことができる。
【００２９】
編集ユニット１２の正面側は、面６１と、面６１の上方に形成された斜面６２から構成される。面６１は、床面に対して垂直で、撮影部２１の側面パネル４１Ａとほぼ平行な面である。斜面６２には、編集作業に用いられる構成として、タブレット内蔵モニタやタッチペンが設けられる。斜面６２の左側には、照明装置６４の一端を支持する柱状の支持部６３Ａが設けられる。斜面６２の右側には、照明装置６４の他端を支持する柱状の支持部６３Ｂが設けられる。支持部６３Ａの上面にはカーテンレール２６を支持する支持部６５が設けられる。
【００３０】
編集ユニット１２の上方にはカーテンレール２６が取り付けられる。カーテンレール２６は、３本のレール２６Ａ乃至２６Ｃが、組み合わせられて構成される。３本のレール２６Ａ乃至２６Ｃは、上から見たときの形状がコの字状となるように組み合わせられる。平行に設けられるレール２６Ａとレール２６Ｂの一端は、連結部２３Ａと連結部２３Ｂにそれぞれ固定され、レール２６Ａとレール２６Ｂの他端は、レール２６Ｃの両端にそれぞれ接合される。
【００３１】
カーテンレール２６には、編集ユニット１２の正面前方の空間と背面前方の空間が外から見えないようにカーテンが取り付けられる。そのカーテンにより囲まれる編集ユニット１２の正面前方の空間と背面後方の空間が、利用者が編集作業を行う編集空間となる。
【００３２】
また、後述するが、編集ユニット１２の左側面には、印刷済みのシール紙が排出される排出口が設けられる。編集ユニット１２の左側面前方の空間が、利用者が印刷済みのシール紙が排出されるのを待つ印刷待ち空間となる。
【００３３】
＜利用者の移動について＞
ここで、写真シール作成ゲームの流れと、それに伴う利用者の移動について説明する。図３は、写真シール作成装置１を上から見た平面図である。
【００３４】
まず、利用者は、事前選択部２０の前方の空間である事前選択空間Ａ０において硬貨投入口に代金を投入する。次に、利用者は、タッチパネルモニタに表示される画面に従って各種の設定を行う。利用者は、例えば、撮影空間で行われる撮影に関するコースの選択などを事前選択作業として行う。
【００３５】
事前選択作業を終えた利用者は、白抜き矢印＃１で示すように、側面パネル４１Ａと側面パネル５２Ａの間の出入り口Ｇ１から、撮影部２１と背景部２２の間に形成された撮影空間Ａ１に入る。そして利用者は、撮影部２１に設けられたカメラやタッチパネルモニタなど利用して撮影作業を行う。
【００３６】
撮影作業を終えた利用者は、白抜き矢印＃２で示すように出入り口Ｇ１から撮影空間Ａ１を出て編集空間Ａ２−１に移動するか、または、白抜き矢印＃３で示すように出入り口Ｇ２から撮影空間Ａ１を出て編集空間Ａ２−２に移動する。
【００３７】
編集空間Ａ２−１は、編集ユニット１２の正面側の編集空間である。一方、編集空間Ａ２−２は、編集ユニット１２の背面側の編集空間である。利用者が編集空間Ａ２−１と編集空間Ａ２−２のいずれの空間に移動するのかは、撮影部２１のタッチパネルモニタの画面表示などによって案内される。例えば２つの編集空間のうちの空いている方が移動先として案内される。編集空間Ａ２−１または編集空間Ａ２−２に移動した利用者は、編集作業を開始する。編集空間Ａ２−１の利用者と、編集空間Ａ２−２の利用者は同時に編集作業を行うことができる。
【００３８】
編集作業が終了した後、編集画像の印刷が開始される。印刷が開始されると、編集空間Ａ２−１での編集作業を終えた利用者は、白抜き矢印＃４で示すように編集空間Ａ２−１から印刷待ち空間Ａ３に移動する。また、編集空間Ａ２−２での編集作業を終えた利用者は、白抜き矢印＃５で示すように編集空間Ａ２−２から印刷待ち空間Ａ３に移動する。
【００３９】
印刷待ち空間Ａ３に移動した利用者は、画像の印刷の終了を待つ。印刷が終了すると、利用者は、編集ユニット１２の右側面に設けられた排出口から排出されたシール紙を受け取り、一連の写真シール作成ゲームを終える。
【００４０】
次に、各装置の構成について説明する。
【００４１】
＜事前選択部の構成＞
図４は、事前選択部２０の構成例を示す図である。
【００４２】
事前選択部２０の上側にはタッチパネルモニタ７１が設けられる。タッチパネルモニタ７１は、LCD(Liquid Crystal Display)などのモニタと、それに積層されたタッチパネルにより構成される。タッチパネルモニタ７１は、各種のGUI(Graphical User Interface)を表示し、利用者の選択操作を受け付ける機能を備えている。タッチパネルモニタ７１には、撮影に関するコースの選択などを行わせる事前選択処理に用いられる画面が表示される。
【００４３】
タッチパネルモニタ７１の下方には、スピーカ７２が設けられる。スピーカ７２は、事前選択処理の案内音声、BGM（Back Ground Music）、効果音などを出力する。また、スピーカ７２に隣接するようにして、利用者が硬貨を入れる硬貨投入返却口７３が設けられる。
【００４４】
＜撮影部の構成＞
図５は、撮影部２１の正面の構成例を示す図である。撮影部２１は、側面パネル４１Ａ、側面パネル４１Ｂ、および正面パネル４２に囲まれるようにして構成される。
【００４５】
正面パネル４２の中央よりやや上側には、カメラユニット８１が設けられる。カメラユニット８１は、カメラ９１およびタッチパネルモニタ９２から構成される。
【００４６】
カメラ９１は、例えば一眼レフカメラであり、レンズが露出するようにカメラユニット８１の内部に取り付けられる。カメラ９１は、CCD(Charge Coupled Device)イメージセンサやCMOS（Complementary Metal Oxide Semiconductor）イメージセンサなどの撮像素子を有し、撮影空間Ａ１にいる利用者を撮影する。カメラ９１により取り込まれた動画像（以下、ライブビュー画像ともいう）は、タッチパネルモニタ９２にリアルタイムで表示される。撮影が指示されたときなどの所定のタイミングでカメラ９１により取り込まれた静止画像は、撮影画像として保存される。
【００４７】
タッチパネルモニタ９２は、カメラ９１の下方に設けられる。タッチパネルモニタ９２は、LCDなどのモニタと、それに積層されたタッチパネルにより構成される。タッチパネルモニタ９２は、カメラ９１により取り込まれた動画像を表示するライブビューモニタとしての機能と、各種のGUIを表示し利用者の選択操作を受け付ける機能を備えている。タッチパネルモニタ９２には、カメラ９１により取り込まれた動画像（ライブビュー画像）や静止画像（撮影画像）が表示される。
【００４８】
カメラユニット８１の上方には、曲面の発光面を利用者に向けた上ストロボユニット８２が設置される。上ストロボユニット８２は、利用者の正面上方から、利用者の顔および上半身に光を照射する。
【００４９】
カメラユニット８１の下方には、利用者の下半身および足元に光を照射する足元ストロボユニット８３が設けられる。
【００５０】
上ストロボユニット８２および足元ストロボユニット８３は、蛍光灯とストロボ発光可能な照明機器とにより構成される。上ストロボユニット８２および足元ストロボユニット８３は、撮影空間を明るくして、利用者の操作性や安全性を確保するために、撮影空間内を常時照らすとともに、撮影画像の画質を向上させるために、撮影タイミングでストロボ発光し、被写体となる利用者に光を照射する。
【００５１】
足元ストロボユニット８３と側面パネル４１Ａとの間には、箱状部８４が設けられる。また、足元ストロボユニット８３と側面パネル４１Ｂとの間には、箱状部８５が設けられる。箱状部８４，８５の上面は、写真シール作成装置１の設置面と略水平な面をなし、撮影作業を行う利用者が手荷物などを置くための荷物置き場として用いられる。
【００５２】
なお、図示はしないが、正面パネル４２の例えば天井付近には、スピーカが設けられる。そのスピーカは、撮影処理の案内音声、BGM、効果音などを出力する。
【００５３】
＜背景部の構成＞
図６は、背景部２２の撮影空間Ａ１側の構成例を示す図である。
【００５４】
背面パネル５１の上方には、背面上ストロボ１０１が設置される。背面上ストロボ１０１は、背面上方から利用者に光を照射する。
【００５５】
図中、背面パネル５１の左方には、背面左ストロボ１０２が設置される。背面左ストロボ１０２は、背面右方から利用者を照射する。図中、背面パネル５１の右方には、背面右ストロボ１０３が設置される。背面右ストロボ１０３は、背面左方から利用者を照射する。
【００５６】
また、背面パネル５１の撮影空間Ａ１側（図中、手前側）の面には、クロマキーシート１２１が貼り付けられる。クロマキーシート１２１の色は、例えば緑色とされる。
【００５７】
なお、図示はしないが、側面パネル５２Ａ，５２Ｂの撮影空間Ａ１側の面にも、クロマキーシート１２１と同様に、クロマキーシートが貼り付けられる。
【００５８】
＜編集ユニットの構成＞
図７は、編集ユニット１２の正面側（編集空間Ａ２−１側）の構成例を示す図である。
【００５９】
斜面６２のほぼ中央には、タブレット内蔵モニタ１３１が設けられる。タブレット内蔵モニタ１３１の左側にはタッチペン１３２Ａが設けられる。タブレット内蔵モニタ１３１の右側にはタッチペン１３２Ｂが設けられる。
【００６０】
タブレット内蔵モニタ１３１は、タブレットがディスプレイを露出するように設けられることによって構成される。タブレットは、タッチペン１３２Ａまたはタッチペン１３２Ｂを用いた操作入力を可能とする。タブレット内蔵モニタ１３１には、例えば、編集作業に用いられる編集画面が表示される。２人の利用者が同時に編集作業を行う場合、タッチペン１３２Ａはタブレット内蔵モニタ１３１に向かって左側にいる利用者により用いられ、タッチペン１３２Ｂはタブレット内蔵モニタ１３１に向かって右側にいる利用者により用いられる。
【００６１】
図８は、編集ユニット１２の左側面の構成例を示す図である。
【００６２】
編集ユニット１２の左側面の下側にはシール紙排出口１６１が設けられる。編集ユニット１２の内部にはプリンタが設けられている。そのプリンタにより、編集空間Ａ２−１の利用者が写る画像、または、編集空間Ａ２−２の利用者が写る画像が所定のレイアウトでシール紙に印刷され、シール紙排出口１６１から排出される。
【００６３】
＜写真シール作成装置の内部構成＞
図９は、写真シール作成装置１の内部の構成例を示すブロック図である。図９において、上述した構成と同じ構成には同じ符号を付してある。重複する説明については適宜省略する。
【００６４】
制御部２０１はCPU(Central Processing Unit)などにより構成される。制御部２０１は、ROM(Read Only Memory)２０６や記憶部２０２に記憶されているプログラムを実行し、写真シール作成装置１の全体の動作を制御する。制御部２０１には、記憶部２０２、通信部２０３、ドライブ２０４、ROM２０６、RAM(Random Access Memory)２０７が接続される。制御部２０１には、事前選択部２０８、撮影部２０９、編集部２１０Ａ，２１０Ｂ、および印刷部２１１の各構成も接続される。
【００６５】
記憶部２０２は、ハードディスクやフラッシュメモリなどの不揮発性の記憶媒体である。記憶部２０２は、制御部２０１から供給された各種の設定情報などを記憶する。記憶部２０２に記憶されている情報は制御部２０１により適宜読み出される。
【００６６】
通信部２０３は、インターネットなどのネットワークのインタフェースである。通信部２０３は、制御部２０１による制御に従って外部の装置と通信を行う。通信部２０３は、例えば、利用者に選択された撮影画像や編集画像を、例えば写真シール作成装置１の製造メーカが管理するサーバに送信する。通信部２０３から送信された画像は、サーバにおいて所定の記憶領域が割り当てられて保存され、サーバにアクセスしてきた携帯端末上で表示されたり、その携帯端末にダウンロードされたりする。
【００６７】
ドライブ２０４には、光ディスクや半導体メモリなどよりなるリムーバブルメディア２０５が適宜装着される。ドライブ２０４によりリムーバブルメディア２０５から読み出されたプログラムやデータは、制御部２０１に供給され、記憶部２０２に記憶されたり、インストールされたりする。
【００６８】
ROM２０６は、制御部２０１において実行されるプログラムやデータを記憶する。RAM２０７は、制御部２０１が処理するデータやプログラムを一時的に記憶する。
【００６９】
事前選択部２０８は、事前選択空間Ａ０にいる利用者を対象とした事前選択処理を実現する。事前選択部２０８は、タッチパネルモニタ７１、スピーカ７２、および硬貨処理部２２１から構成される。
【００７０】
タッチパネルモニタ７１は、制御部２０１による制御に従って各種の選択画面を表示し、選択画面に対する利用者の操作を受け付ける。利用者の操作の内容を表す入力信号は制御部２０１に供給され、各種の設定が行われる。
【００７１】
硬貨処理部２２１は、硬貨投入返却口７３への硬貨の投入を検出する。硬貨処理部２２１は、所定の金額分の硬貨が投入されたことを検出した場合、ゲームの開始を指示する起動信号を制御部２０１に出力する。
【００７２】
撮影部２０９は、撮影空間Ａ１にいる利用者を対象とした撮影処理を実現する。撮影部２０９は、照明装置２３１、カメラ９１、タッチパネルモニタ９２、およびスピーカ２３２から構成される。
【００７３】
照明装置２３１は、撮影空間Ａ１内の各ストロボユニットであり、制御部２０１から供給される照明制御信号に従って発光する。
【００７４】
カメラ９１は、制御部２０１によるシャッタ制御に従って撮影を行い、撮影によって得られた撮影画像（画像データ）を制御部２０１に出力する。
【００７５】
編集部２１０Ａは、編集空間Ａ２−１にいる利用者を対象とした編集処理を実現する。編集部２１０Ａは、タブレット内蔵モニタ１３１、タッチペン１３２Ａ，１３２Ｂ、およびスピーカ２４１から構成される。編集部２１０Ｂは、編集空間Ａ２−２にいる利用者を対象とした編集処理を実現し、編集部２１０Ａと同一の構成を有する。なお、以下、編集部２１０Ａ，２１０Ｂを特に区別しない場合には、単に、編集部２１０という。
【００７６】
タブレット内蔵モニタ１３１は、制御部２０１による制御に従って編集画面を表示し、編集画面に対する利用者の操作を受け付ける。利用者の操作の内容を表す入力信号は制御部２０１に供給され、編集対象となる撮影画像が編集される。
【００７７】
印刷部２１１は、印刷待ち空間Ａ３にいる利用者に、印刷済みのシール紙である写真シールを出力する印刷処理を実現する。印刷部２１１は、プリンタ２５１を含むように構成される。プリンタ２５１にはシール紙ユニット２５２が装着される。
【００７８】
プリンタ２５１は、制御部２０１から供給された印刷データに基づいて、内蔵するヘッド２６１によって、画像をシール紙ユニット２５２に収納されているロール紙２６３に印刷する。また、プリンタ２５１は、画像を印刷したロール紙２６３を出力口に向けて送り、内蔵するカッター２６２によって所定のカット位置でカットして、シール紙排出口１６１に排出する。
【００７９】
＜制御部の構成＞
図１０は、制御部２０１の機能構成例を示すブロック図である。図１０に示す機能部のうちの少なくとも一部は、制御部２０１内のCPUにより所定のプログラムが実行されることによって実現される。
【００８０】
制御部２０１は、事前選択処理部３０１、撮影処理部３０２、編集処理部３０３、および印刷処理部３０４から構成される。
【００８１】
事前選択処理部３０１は、事前選択部２０８の各部を制御することで、事前選択処理を実行する。撮影処理部３０２は、撮影部２０９の各部を制御することで、撮影処理を実行する。編集処理部３０３は、編集部２１０の各部を制御することで、編集処理を実行する。印刷処理部３０４は、印刷部２１１のプリンタ２５１を制御することで、印刷処理を実行する。
【００８２】
＜事前選択処理部の構成例＞
図１１は、事前選択処理部３０１の機能構成例を示すブロック図である。
【００８３】
事前選択処理部３０１は、表示制御部３１１、選択受付部３１２、およびガイダンス出力制御部３１３から構成される。
【００８４】
表示制御部３１１は、タッチパネルモニタ７１の表示を制御する。例えば、表示制御部３１１は、撮影空間において行われる撮影処理に関するコース選択のための選択画面や、撮影画像の背景選択のための選択画面、後述するいたずらムービーを生成するための合成用動画像を選択するための選択画面などをタッチパネルモニタ７１に表示させる。
【００８５】
選択受付部３１２は、タッチパネルモニタ７１に対する、利用者の操作を受け付ける。具体的には、選択受付部３１２は、タッチパネルモニタ７１に表示された選択画面に対する利用者の選択操作を受け付ける。
【００８６】
ガイダンス出力制御部３１３は、各種の選択操作を説明するガイダンスの出力を制御する。ガイダンス出力制御部３１３は、各種の選択操作を説明する画面をタッチパネルモニタ７１に表示させたり、各種の選択操作を説明する音声をスピーカ７２から出力させたりする。
【００８７】
＜撮影処理部の構成例＞
図１２は、撮影処理部３０２の機能構成例を示すブロック図である。
【００８８】
撮影処理部３０２は、カメラ９１を制御することで、１回の撮影を所定の撮影時間をかけて行う。撮影処理部３０２は、表示制御部３２１、撮影制御部３２２、合成部３２３、およびガイダンス出力制御部３２４から構成される。
【００８９】
表示制御部３２１は、タッチパネルモニタ９２の表示を制御する。例えば、表示制御部３２１は、タッチパネルモニタ９２に、カメラ９１に取り込まれたライブビュー画像を表示させたり、撮影結果である撮影画像を表示させたりする。
【００９０】
撮影制御部３２２は、カメラ９１を制御することで、利用者を被写体として撮影し、撮影画像を生成する。
【００９１】
合成部３２３は、複数の撮影画像のうちの１つと、少なくとも一部が動画像で合成される合成用動画像とを合成した合成動画像を生成する。生成された合成動画像は、撮影結果として表示されたり、サーバに送信される。
【００９２】
ガイダンス出力制御部３２４は、撮影作業の進め方などを説明するガイダンスの出力を制御する。ガイダンス出力制御部３２４は、撮影作業の進め方などを説明する画面をタッチパネルモニタ９２に表示させたり、撮影作業の進め方などを説明する音声をスピーカ２３２から出力させたりする。
【００９３】
＜写真シール作成装置の動作＞
ここで、図１３のフローチャートを参照して、写真シール作成ゲームを提供する写真シール作成装置１の動作について説明する。
【００９４】
ステップＳ１において、事前選択処理部３０１は、所定の金額分の硬貨が投入されたか否かを、硬貨処理部２２１から供給される起動信号に基づいて判定し、硬貨が投入されたと判定するまで待機する。
【００９５】
ステップＳ１において、硬貨が投入されたと判定された場合、処理はステップＳ２に進む。ステップＳ２において、事前選択処理部３０１は、事前選択部２０８を制御することで、事前選択処理を行う。具体的には、事前選択処理部３０１は、例えば、撮影空間において行われる撮影処理に関するコースや、撮影画像の背景となる背景画像などの選択を利用者に行わせることで、各種の設定を行う。
【００９６】
ステップＳ３において、撮影処理部３０２は、撮影部２０９を制御することで、撮影処理を行う。具体的には、撮影処理部３０２は、カメラ９１に取り込まれた被写体の動画像をタッチパネルモニタ９２にライブビュー表示させ、撮影空間Ａ１にいる利用者を被写体として撮影し、撮影画像を生成する。
【００９７】
ステップＳ４において、編集処理部３０３は、編集空間Ａ２−１と編集空間Ａ２−２のうち、撮影処理を終えた利用者の移動先とした方の編集空間に対応する編集部２１０を制御することで、編集処理を行う。具体的には、編集処理部３０３は、撮影処理により得られた撮影画像に対して利用者に編集作業を行わせることで、編集が施された編集画像を生成する。
【００９８】
ステップＳ５において、印刷処理部３０４は、プリンタ２５１を制御することで、印刷処理を行う（開始する）。具体的には、印刷処理部３０４は、所定のレイアウトで配置された撮影画像や編集画像をプリンタ２５１に出力してシール紙（ロール紙２６３）に印刷する。
【００９９】
印刷が終了すると、ステップＳ６において、プリンタ２５１は、画像が印刷されたシール紙をシール紙排出口１６１に排出し、処理を終了させる。
【０１００】
＜事前選択処理の詳細＞
次に、図１４のフローチャートを参照して、上述した写真シール作成ゲームの一連の処理におけるステップＳ２の事前選択処理の詳細について説明する。
【０１０１】
事前選択処理が開始されると、ステップＳ１１において、表示制御部３１１は、タッチパネルモニタ７１に人数コース選択画面を表示させる。
【０１０２】
人数コース選択画面は、利用者の人数に応じて行われるゲームの種類を決定する人数コースの選択に用いられる画面である。人数コースには、利用者が２人の場合に適した撮影が行われる２人用コースと、利用者が３人以上の場合に適した撮影が行われる大人数コースとがある。
【０１０３】
人数コース選択画面が操作されることによって、選択受付部３１２は、人数コースの選択を受け付ける。いずれかの人数コースの選択が受け付けられると、処理はステップＳ１２に進む。
【０１０４】
ステップＳ１２において、表示制御部３１１は、タッチパネルモニタ７１に撮影コース選択画面を表示させる。
【０１０５】
撮影コース選択画面は、撮影空間で行われる撮影の種類を決定する撮影コースの選択に用いられる画面である。
【０１０６】
本実施の形態の撮影処理においては、合計６回の撮影が行われる。詳細は後述するが、そのうちの６回目の撮影は、利用者が所有する携帯端末に送信するためだけの携帯専用画像を得るための撮影（携帯専用撮影）とされる。一方、１乃至５回目の撮影により得られる５枚の撮影画像は、編集処理の対象とされてシール紙に印刷されることはもちろん、携帯端末に送信される対象にもなり得る。以下においては、適宜、１乃至５回目の撮影を通常撮影といい、通常撮影により得られる撮影画像を通常撮影画像という。
【０１０７】
さて、撮影コースには、５回行われる通常撮影として、アップ撮影と全身撮影とが行われる「アップ＋全身」コースと、アップ撮影のみが行われる「アップのみ」コースとがある。
【０１０８】
ここで、アップ撮影とは、被写体の顔および上半身を撮影範囲とした撮影である。アップ撮影により、撮影画像として、被写体の顔および上半身が写るアップ画像が得られる。一方、全身撮影とは、被写体の全身を撮影範囲とした撮影である。全身撮影により、撮影画像として、被写体の全身が写る全身画像が得られる。
【０１０９】
撮影コース選択画面が操作されることによって、選択受付部３１２は、撮影コースの選択を受け付ける。いずれかの撮影コースの選択が受け付けられると、処理はステップＳ１３に進む。
【０１１０】
ステップＳ１３において、表示制御部３１１は、タッチパネルモニタ７１に背景選択画面を表示させる。
【０１１１】
背景選択画面は、撮影により得られる撮影画像の背景となる背景画像の選択に用いられる画面である。背景選択画面には、複数枚の背景画像が表示される。利用者は、複数枚の背景画像の中から、１乃至５回目の通常撮影により得られる５枚の撮影画像に合成する５枚の背景画像を選択することができる。なお、利用者は、背景選択画面において、５枚の背景画像がセットになったセット背景を選択することで、５枚の撮影画像についての背景画像を一括して選択することもできる。
【０１１２】
背景選択画面が操作されることによって、選択受付部３１２は、背景画像の選択を受け付ける。５枚の背景画像の選択が受け付けられると、処理はステップＳ１４に進む。
【０１１３】
ステップＳ１４において、表示制御部３１１は、いたずらムービー選択画面をタッチパネルモニタ７１に表示させる。
【０１１４】
いたずらムービー選択画面は、６回目の撮影（携帯専用撮影）として行われるいたずらムービー撮影の種類の選択に用いられる画面である。
【０１１５】
いたずらムービー撮影は、面白味のある動画像（いたずらムービー）を得るための撮影処理である。いたずらムービー撮影により得られるいたずらムービーは、６回目の撮影により得られたいたずらムービー用の撮影画像と、少なくとも一部が動画像で構成される合成用動画像とが合成されてなる合成動画像である。いたずらムービー選択画面においては、複数種類の合成用動画像のサンプル画像が表示され、そのいずれかが選択されることで、いたずらムービー撮影の種類が決定される。
【０１１６】
図１５は、いたずらムービー選択画面の例を示している。
【０１１７】
図１５の例では、８種類の合成用動画像のサンプル画像４１１乃至４１８、および、ＯＫボタン４２０が表示されている。
【０１１８】
サンプル画像４１１乃至４１８により選択される合成用動画像のうち、サンプル画像４１１，４１３，４１４，４１５により選択される合成用動画像は、いたずらムービー用の撮影画像における人物の上層レイヤに合成される前景画像と、人物の下層レイヤに合成される背景画像とを含むように構成される。
【０１１９】
また、サンプル画像４１２，４１７，４１８により選択される合成用動画像は、いたずらムービー用の撮影画像が複数配置される前景画像から構成される。
【０１２０】
さらに、サンプル画像４１６により選択される合成用動画像は、いたずらムービー用の撮影画像における人物の所定の部分（具体的には顔）を顔枠から露出させる前景画像（顔ハメ画像）から構成される。詳細は後述するが、これらサンプル画像に対応する合成用動画像は、カメラ９１のシャッタ動作より前に表示されるライブビュー画像に合成されて表示される。ここで、サンプル画像４１６が選択されている場合、利用者は、サンプル画像４１６に対応する合成用動画像の顔枠に、自身の顔を合わせるように立ち位置や顔の位置を移動することになる。すなわち、サンプル画像４１６により選択される合成用動画像は、撮影画像の撮影範囲において、人物の位置を規定する画像といえる。
【０１２１】
いたずらムービー選択画面において、サンプル画像４１１乃至４１８のいずれかが選択され、ＯＫボタン４２０が押下されることによって、選択受付部３１２は、いたずらムービー撮影の選択を受け付ける。いずれかのいたずらムービー撮影の選択が受け付けられると、処理はステップＳ１５に進む。
【０１２２】
ステップＳ１５において、表示制御部３１１は、タッチパネルモニタ７１にBGM選択画面を表示させる。
【０１２３】
BGM選択画面は、撮影空間において出力されるBGMの選択に用いられる画面である。
【０１２４】
BGM選択画面が操作されることによって、選択受付部３１２は、BGMの選択を受け付ける。いずれかのBGMの選択が受け付けられると、処理はステップＳ１６に進む。
【０１２５】
ステップＳ１６において、ガイダンス出力制御部３１３は、事前選択空間Ａ０にいる利用者に対して、撮影空間Ａ１への移動を案内する。撮影空間Ａ１への移動の案内は、タッチパネルモニタ７１に案内画面を表示させることによって、または音声をスピーカ７２から出力させることによって行われる。
【０１２６】
＜撮影処理の詳細＞
次に、図１６のフローチャートを参照して、上述した写真シール作成ゲームの一連の処理におけるステップＳ３の撮影処理の詳細について説明する。
【０１２７】
撮影処理が開始されると、ガイダンス出力制御部３２４が、レタッチ撮影の仕方を説明するガイダンスを行う。その後、ステップＳ３１において、撮影制御部３２２は、レタッチ撮影を行う。
【０１２８】
レタッチ撮影は、利用者それぞれの顔を識別し、さらに利用者の顔の各器官（目、口など）を認識するために行われる撮影である。このレタッチ撮影により得られた撮影画像（レタッチ用画像）は、編集処理において編集対象とされたり、印刷処理においてシール紙に印刷されることはなく、顔の識別や顔の各器官の認識のためだけに利用される。
【０１２９】
このような目的から、レタッチ撮影のガイダンスでは、利用者に対して、正面を向いて撮影することを促す画面の表示や音声の出力が行われる。
【０１３０】
なお、レタッチ用画像は、顔の識別や顔の各器官の認識のためだけに利用されるものとしたが、印刷処理においてシール紙に印刷されるようにしてもよいし、いたずらムービーの一部に用いられるようにしてもよい。レタッチ用画像をシール紙に印刷するようにした場合には、例えば、複数の撮影画像が配置されたシールレイアウトの縁の部分に、写真シール機の機種名や撮影日などの付帯情報とともに、レタッチ用画像が配置されて印刷されるようにする。
【０１３１】
レタッチ撮影が終了すると、ガイダンス出力制御部３２４が、撮影（通常撮影）の仕方を説明する画面をタッチパネルモニタ９２に表示させる。その後、表示制御部３２１は、１回目の撮影に対応するポーズ画像を所定時間表示した後、ライブビュー画像をタッチパネルモニタ９２に表示させる。ライブビュー画像がタッチパネルモニタ９２に表示された状態で撮影タイミングになったとき、ステップＳ３２において、撮影制御部３２２は、１回目の撮影を行う。表示制御部３２１は、撮影によって得られた静止画像である撮影画像をタッチパネルモニタ９２に表示させる。利用者は、１回目の撮影結果を確認しながら、次の撮影の準備を行うことができる。
【０１３２】
その後、２回目以降の撮影が行われる。すなわち、２回目の撮影に対応するポーズ画像が所定時間表示された後、ライブビュー画像が表示され、撮影タイミングになったとき、ステップＳ３３において、撮影制御部３２２は、２回目の撮影を行う。
【０１３３】
同様にして、ステップＳ３４乃至Ｓ３６において、撮影制御部３２２は、それぞれ３乃至５回目の撮影を行う。
【０１３４】
なお、撮影コースとして「アップ＋全身」コースが選択されている場合、１乃至３回目の撮影として、アップ撮影が行われ、４，５回目の撮影として、全身撮影が行われる。また、撮影コースとして「アップのみ」コースが選択されている場合、１乃至５回目の撮影として、アップ撮影が行われる。
【０１３５】
全身撮影としては、利用者の全身を利用者の正面から撮影する正面全身撮影が行われるようにしてもよいし、利用者の全身を利用者の斜め上から撮影する上から全身撮影が行われるようにしてもよい。
【０１３６】
アップ撮影および全身撮影のそれぞれにおいては、カメラ９１のチルト角が、撮影制御部３２２によって制御される。
【０１３７】
具体的には、全身撮影が行われるときのカメラ９１のチルト角（カメラ９１のレンズの光軸が水平方向にある状態）をデフォルトの状態とすると、アップ撮影が行われるときには、カメラ９１がデフォルトの状態より所定角度だけ前傾するようにチルト角が調整される。なお、チルト角の調整といったハードウェア構成の制御ではなく、ソフトウェア（画像処理）によって、チルト角を調整して撮影したような画像が生成されるようにしてもよい。
【０１３８】
また、アップ撮影および全身撮影のそれぞれが行われるときには、チルト角が制御されるだけではなく、ガイダンス出力制御部３２４により出力されるガイダンスにより、利用者の立ち位置も変更される。
【０１３９】
例えば、撮影空間の床面には、カメラ９１から最も近い立ち位置と、最も遠い立ち位置の、２つの立ち位置を示すラベルが貼付してある。アップ撮影が行われるときには、利用者に対して、カメラ９１から最も近い立ち位置に立つように指示するガイダンスが出力される。また、全身撮影が行われるときには、利用者に対して、カメラ９１から最も遠い立ち位置に立つように指示するガイダンスが出力される。
【０１４０】
さらに、アップ撮影および全身撮影のそれぞれが行われるときには、チルト角の制御に加えて、カメラ９１のレンズの焦点距離が調整されるようにしてもよい。例えば、アップ撮影が行われるときには、カメラ９１のレンズの焦点距離を短くすることで、撮影範囲を狭くし、被写体が大きく写るようにする。また、全身撮影が行われるときには、カメラ９１のレンズの焦点距離を長くすることで、撮影範囲を広くし、被写体が小さく写るようにする。これにより、利用者が立ち位置を変更することなく、アップ画像や全身画像が得られるようになる。
【０１４１】
このようにして、ステップＳ３２乃至Ｓ３６において、５回の通常撮影が終わった後、ステップＳ３７において、撮影制御部３２２は、いたずらムービー撮影を行う。
【０１４２】
いたずらムービー撮影により得られるいたずらムービーは、利用者により選択された種類の合成用動画像が合成された、縦横比が１：１の動画像となる。いたずらムービーは、主に、SNS(Social Networking Service)やミニブログ、ブログのサービスなどのサイトに投稿するための動画像として用いられる。
【０１４３】
ステップＳ３７の後、ステップＳ３８において、表示制御部３２１は、撮り直し対象選択画面をタッチパネルモニタ９２に表示させる。
【０１４４】
撮り直し対象選択画面は、通常撮影により得られた５枚の撮影画像、および、いたずらムービー撮影により得られたいたずらムービーの中から、撮り直しの対象とする画像である撮り直し対象画像の選択に用いられる画面である。撮り直し対象選択画面には、５枚の撮影画像。およびいたずらムービーが表示され、そのいずれかが選択されることで、撮り直し対象画像が選択・決定される。また、撮り直し対象選択画面には、撮り直しを行わないことを選択するためのボタンも表示され、そのボタンが選択されることで、撮り直しは行われないようになる。
【０１４５】
ステップＳ３９においては、５枚の撮影画像およびいたずらムービー、並びに、撮り直しを行わないことを選択するためのボタンのいずれが選択されたかに応じて、撮り直しを行うか否かが判定される。
【０１４６】
撮り直し対象選択画面において、５枚の撮影画像およびいたずらムービーのいずれかが選択された場合、撮り直しを行うと判定され、処理はステップＳ４０に進む。
【０１４７】
ステップＳ４０において、撮影制御部３２２は、撮影（撮り直し）を行う。
【０１４８】
撮り直しが行われた後、ステップＳ４１において、表示制御部３２１は、撮り直し後選択画面をタッチパネルモニタ９２に表示させる。
【０１４９】
撮り直し後選択画面は、撮り直し対象選択画面において選択された撮り直し対象画像、および、撮り直しにより得られた撮影画像のいずれか一方の選択に用いられる画面である。撮り直し後選択画面には、撮り直し対象選択画面において選択された撮り直し対象画像、および、撮り直しにより得られた撮影画像が表示され、そのいずれかが選択されることで、最終的に編集や印刷の対象となる画像が選択・決定される。
【０１５０】
撮り直し後選択画面において、撮り直し対象選択画面において選択された撮り直し対象画像、および、撮り直しにより得られた撮影画像のいずれかが選択されると、処理はステップＳ４２に進む。
【０１５１】
一方、撮り直し対象選択画面において、撮り直しを行わないことを選択するためのボタンが選択された場合、撮り直しを行わないと判定され、ステップＳ４０，Ｓ４１はスキップされ、処理はステップＳ４２に進む。
【０１５２】
ステップＳ４２において、ガイダンス出力制御部３２４は、撮影を終えた利用者に対して、編集空間Ａ２−１または編集空間Ａ２−２への移動を案内する。編集空間Ａ２−１または編集空間Ａ２−２への移動の案内は、タッチパネルモニタ９２に案内画面を表示させることによって、または音声をスピーカ２３２から出力させることによって行われる。
【０１５３】
＜いたずらムービー撮影処理の詳細＞
ここで、図１７のフローチャートを参照して、上述したいたずらムービー撮影の処理の詳細について説明する。
【０１５４】
ステップＳ５１において、表示制御部３２１は、いたずらムービー撮影のガイダンス画面をタッチパネルモニタ９２に表示させる。
【０１５５】
ガイダンス画面は、いたずらムービー撮影における撮影の仕方を利用者に案内するための画面である。具体的には、ガイダンス画面には、いたずらムービー選択画面において選択されたいたずらムービーのサンプル画像（動画像）が、利用者に対する案内メッセージとともに表示される。
【０１５６】
このとき、いたずらムービーのサンプル動画像は、最終的に生成されるいたずらムービーの一部を抜粋した形のものであってもよいし、最終的に生成されるいたずらムービーの全てに対応するものであってもよい。前者の場合、いたずらムービー撮影に要する時間を短縮することができ、後者の場合、利用者に、最終的に生成されるいたずらムービー全体の仕上がりを利用者にイメージさせることができる。また、後者の場合、いたずらムービーのサンプル動画像の早送りやスキップなど、サンプル動画像の再生時間が調整されるようにしてもよい。
【０１５７】
ガイダンス画面が、所定の時間表示された後、処理はステップＳ５２に進む。
【０１５８】
ステップＳ５２において、表示制御部３２１は、ライブビュー画像を表示するためのライブビュー表示画面をタッチパネルモニタ９２に表示させる。
【０１５９】
このとき、合成部３２３は、カメラ９１により取り込まれたライブビュー画像に、いたずらムービー選択画面において選択されたサンプル画像に対応する合成用動画像を合成する。したがって、ライブビュー表示画面においては、ライブビュー画像に、いたずらムービー選択画面において選択されたサンプル画像に対応する合成用動画像が合成された状態で表示される。
【０１６０】
ライブビュー表示画面が、所定の時間表示された後、撮影タイミングになると、ライブビュー表示画面の表示は終了し、処理がステップＳ５３に進む。
【０１６１】
ステップＳ５３において、カメラ９１は、撮影制御部３２２による制御に基づいて、シャッタ動作を行う。具体的には、撮影制御部３２２は、撮影タイミングにおいてカメラ９１のシャッタ動作により取り込まれた静止画像を、いたずらムービー用の撮影画像として取得する。そして、合成部３２３は、取得されたいたずらムービー用の撮影画像に、いたずらムービー選択画面において選択されたサンプル画像に対応する合成用動画像を合成する。
【０１６２】
ステップＳ５４において、表示制御部３２１は、いたずらムービー撮影の撮影結果として、いたずらムービー用の撮影画像に合成用動画像が合成されたいたずらムービーを、タッチパネルモニタ９２にプレビュー表示させる。
【０１６３】
ここで、ステップＳ５２において表示されるライブビュー表示画面の詳細について説明する。
【０１６４】
図１８は、いたずらムービー撮影のライブビュー表示画面の例を示している。
【０１６５】
ライブビュー表示画面の中央には、ライブビュー画像が表示されるライブビュー表示領域５１１が設けられる。ライブビュー表示画面は、スマートフォンの画面にライブビュー表示領域５１１がはめ込まれるようなデザインを有しており、いたずらムービーが利用者の携帯端末に表示される様子を、利用者にイメージさせるようになされている。
【０１６６】
ライブビュー表示領域５１１には、カメラ９１により取り込まれたライブビュー画像に、いたずらムービー選択画面において選択されたサンプル画像に対応する合成用動画像が合成されて表示される。図１８の例では、サンプル画像４１６に対応する、顔ハメ画像を含む合成用動画像が合成されたライブビュー画像が表示されている。
【０１６７】
また、ライブビュー表示領域５１１の左右には、いたずらムービー選択画面において選択されたサンプル画像が表示されるサンプル表示領域５１２Ｌ，５１２Ｒが設けられる。
【０１６８】
この場合、利用者は、ライブビュー表示領域５１１に表示されるライブビュー画像を確認しながら、顔ハメ画像の顔枠に、自身の顔を合わせるように立ち位置や顔の位置を移動する。
【０１６９】
このように、いたずらムービー選択画面において、顔ハメ画像を含む合成用動画像が選択された場合において、顔ハメ画像の顔枠に合わせるように立ち位置を決定することは、慣れていない利用者にとっては容易ではなく、立ち位置の決定に失敗すると、顔枠に対して顔が小さすぎたり、逆に大きすぎたりしてしまい、結果として、画像の完成度が低下してしまう。
【０１７０】
そこで、本実施の形態においては、顔ハメ画像を含む合成用動画像が選択された場合の撮影前時間が、それ以外の合成用動画像が選択された場合の撮影前時間と比較して長くなるように、いたずらムービー撮影が行われるようにする。ここで、撮影前時間は、撮影時間のスタートからカメラ９１がシャッタ動作を開始するまでの時間をいう。なお、いたずらムービー撮影における撮影時間のスタートは、５回目の通常撮影においてプレビュー表示が終了し、いたずらムービー撮影のガイダンス画面の表示が開始された時となる。
【０１７１】
例えば、いたずらムービー選択画面において、サンプル画像４１１が選択された場合、図１９上段に示されるように、いたずらムービー撮影処理（図１８）の各ステップに対応するガイダンス画面の表示（Ｓ５１）、ライブビュー表示画面の表示（Ｓ５２）、シャッタ動作（Ｓ５３）、およびプレビュー表示（Ｓ５４）それぞれの動作は、撮影時間全体の中で、それぞれ所定の時間をかけて行われる。
【０１７２】
一方、いたずらムービー選択画面において、サンプル画像４１６が選択された場合、図１９下段に示されるように、いたずらムービー撮影処理の各ステップに対応するそれぞれの動作のうち、ライブビュー表示画面の表示（Ｓ５２）が、サンプル画像４１１が選択された場合と比較して長い時間をかけて行われる。
【０１７３】
以上の動作によれば、いたずらムービー選択画面において、顔ハメ画像を含む合成用動画像が選択された場合には、それ以外の合成用動画像が選択された場合と比較して、ライブビュー画像が表示される時間が長くなるので、慣れていない利用者であっても、ある程度時間をかけて、顔ハメ画像の顔枠に合わせるように立ち位置を決定することができる。すなわち、立ち位置の決定に失敗しにくくなるので、顔枠に対して顔が小さすぎたり、逆に大きすぎたりすることがなくなり、より確実に、完成度の高い画像を提供することが可能となる。
【０１７４】
なお、いたずらムービー撮影のガイダンス画面の表示が省略されるようにした場合には、いたずらムービー撮影における撮影時間のスタートは、ライブビュー表示画面の表示が開始された時となる。
【０１７５】
また、いたずらムービー撮影のライブビュー表示画面は、図１８の例に示されるようなデザインを有するものとしたが、顔ハメ画像を含む合成用動画像が選択された場合には、ライブビュー表示画面のほぼ全体をライブビュー表示領域５１１とする（画面全体にライブビュー画像が表示される）ようにしてもよい。これにより、利用者がライブビュー画像を確認しやすくなるので、より確実に、顔ハメ画像の顔枠に合わせるように立ち位置を決定することができるようになる。
【０１７６】
＜ライブビュー表示時間について＞
本実施の形態においては、いたずらムービー撮影の際のライブビュー画像が表示される時間（ライブビュー表示時間）は、通常撮影の際のライブビュー表示時間と比較して長く設定されている。これにより、通常撮影とは異なるいたずらムービー撮影に失敗する可能性を低減することができる。
【０１７７】
また、通常撮影およびいたずらムービー撮影のいずれについても、撮り直しを行うことができるが、撮り直しにおいても、いたずらムービー撮影の撮り直しの際のライブビュー表示時間は、通常撮影の撮り直しの際のライブビュー表示時間と比較して長く設定されている。
【０１７８】
なお、撮り直しにおいて、利用者は、既に一度行った撮影を再度行うため、その流れや立ち位置を把握していることが多い。そこで、撮り直しの際のライブビュー表示時間は、撮り直し前の対応する撮影の際のライブビュー表示時間より短く設定されるようにしてもよい。
【０１７９】
＜撮影前時間について＞
上述した説明では、顔ハメ画像を含む合成用動画像が選択された場合と、それ以外の合成用動画像が選択された場合とで、撮影前時間として、ライブビュー表示時間が長く設定されるものとしたが、シャッタ動作が開始されるまでの時間が長く設定されればよい。
【０１８０】
具体的には、いたずらムービー選択画面において、サンプル画像４１６が選択された場合、図２０下段に示されるように、いたずらムービー撮影処理の各ステップに対応するそれぞれの動作のうち、ガイダンス画面の表示（Ｓ５１）が、サンプル画像４１１が選択された場合と比較して長い時間をかけて行われるようにしてもよい。
【０１８１】
これにより、慣れていない利用者であっても、いたずらムービー撮影の流れをイメージさせることができ、ひいては、いたずらムービー撮影に失敗する可能性を低減することができるので、より確実に、完成度の高い画像を提供することができるようになる。
【０１８２】
なお、通常撮影およびいたずらムービー撮影のいずれにおいても、顔ハメ画像を含む合成用動画像が選択された場合と、それ以外の合成用動画像が選択された場合とで、シャッタ動作後のプレビュー表示が行われる時間（プレビュー表示時間）は同じであるものとする。
【０１８３】
しかしながら、顔ハメ画像を含む合成用動画像が選択された場合、その撮影前時間を、それ以外の合成用動画像が選択された場合の撮影前時間と比較して長くすることで、いたずらムービー撮影全体に要する撮影時間が長くなってしまう。
【０１８４】
そこで、例えば、いたずらムービー撮影において、顔ハメ画像を含む合成用動画像が選択された場合のプレビュー表示時間を、それ以外の合成用動画像が選択された場合のプレビュー表示時間と比較して短くするようにしてもよい。これにより、顔ハメ画像を含む合成用動画像が選択された場合と、それ以外の合成用動画像が選択された場合とで、いたずらムービー撮影全体に要する撮影時間を均等にすることができる。
【０１８５】
なお、顔ハメ画像を含む合成用動画像が選択された場合には、５回行われる通常撮影において、プレビュー表示を行う時間を設けず、次に行われる撮影についてのガイダンス画面に、前の撮影により得られた撮影結果がプレビュー表示されるようにしてもよい。
【０１８６】
さらに、顔ハメ画像を含む合成用動画像が選択された場合の通常撮影の回数を、それ以外の合成用動画像が選択された場合の通常撮影の回数と比較して少なくするようにしてもよい。これにより、顔ハメ画像を含む合成用動画像が選択された場合と、それ以外の合成用動画像が選択された場合とで、撮影処理全体に要する時間を均等にすることができる。
【０１８７】
＜人物の位置を規定する画像の例＞
以上においては、撮影画像の撮影範囲において人物の位置を規定する画像が、顔ハメ画像を含む合成用動画像である例について説明してきたが、顔ハメ画像を含む合成用画像（静止画像）であってもよい。
【０１８８】
また、撮影画像の撮影範囲において人物の位置を規定する画像が、図２１に示されるような、撮影画像における人物の下層レイヤに合成される背景画像であってもよい。
【０１８９】
図２１左側に示される背景画像５５１においては、その右側に男性モデルが配置されている。このような背景画像がライブビュー画像に合成されて表示される場合、利用者Ｕ１は、ライブビュー画像を確認しながら、図２１右側に示されるように、自身の身体が男性モデルに重ならないように（男性モデルを隠さないように）立ち位置を移動するようになる。
【０１９０】
このとき、図２１右側に示されるように、ライブビュー画像上に、適切な顔の位置を示す枠Ｆ１が表示されるようにしてもよいし、文字や音声によるガイダンスが表示・出力されるようにしてもよい。これにより、利用者は、ライブビュー画像を確認しながら、最適な立ち位置に移動することができるので、画像の完成度を高めることができる。
【０１９１】
さらに、撮影画像の撮影範囲において人物の位置を規定する画像が、動物の耳や鼻を模した前景画像（合成用画像）であってもよい。近年、これらの合成用画像は、顔認識の結果に基づいて、利用者の操作によらず、撮影画像に写る人物の顔における特定の位置に合成されるようになされているが、このような機能を有しない写真シール機においては、これらの合成用画像がライブビュー画像に合成されて表示されるようにすることで、利用者が、ライブビュー画像を確認しながら、これらの合成用画像に自身の顔を合わせるように立ち位置や顔の位置を移動することになる。
【０１９２】
＜変形例＞
以下においては、本実施の形態の変形例について説明する。
【０１９３】
（例１）
通常、利用者は、既に行われた撮影に失敗したと思われるときに撮り直しすることを選択し、撮り直しにはもう失敗したくないと考える。そこで、撮り直しの際のライブビュー表示時間が、撮り直し前の対応する撮影の際のライブビュー表示時間より長く設定されるようにしてもよい。これにより、より確実に、撮り直しに成功させるようにすることができる。
【０１９４】
なお、撮り直しが行われる場合には、撮り直しが行われない場合と比較して、撮影処理全体に要する時間が長くなる。そこでこの場合、上述したように、撮り直しの際のライブビュー表示時間が、撮り直し前の対応する撮影の際のライブビュー表示時間より短く設定されるようにしてもよい。
【０１９５】
（例２）
いたずらムービー撮影の撮り直しを行う際、合成用動画像を再度選択できるようにしてもよい。例えば、顔ハメ画像を含む合成用動画像を選択して、いたずらムービー撮影に臨んだものの、立ち位置や顔の位置の移動が上手くいかず、いたずらムービー撮影に失敗した場合、撮り直しでも失敗するおそれがある。そこで、撮り直しを行う際、利用者が、顔ハメ画像を含む合成用動画像以外の合成用動画像を選択できるようにすることで、いたずらムービー撮影に失敗する可能性を低減させることができる。
【０１９６】
また、撮り直しを行う際には、顔ハメ画像を含む合成用動画像以外の合成用動画像のみが選択できるようにしてもよい。これにより、より確実に、いたずらムービー撮影に失敗する可能性を低減させることができる。
【０１９７】
（例３）
いたずらムービー選択画面が、撮影処理の中で表示されるようにしてもよい。このような構成において、顔ハメ画像を含む合成用動画像が選択された場合、それ以外の合成用画像が選択された場合と比較して、いたずらムービー撮影全体に要する撮影時間が長くなるので、事前選択空間に次の利用者がいると、その利用者を待たせてしまい、ゲームの回転率を低下させてしまう。
【０１９８】
そこで、事前選択空間に次の利用者がいる場合には、いたずらムービー選択画面において、顔ハメ画像を含む合成用動画像を表示させないようにし、事前選択空間に次の利用者がいない場合に、いたずらムービー選択画面において、顔ハメ画像を含む合成用動画像を表示し、選択できるようにしてもよい。これにより、ゲームの回転率を安定的に保つことができる。
【０１９９】
（例４）
撮影コース選択画面において選択された撮影コースに応じて、いたずらムービー選択画面に顔ハメ画像を含む合成用動画像を表示させるようにしてもよい。例えば、「アップ＋全身」コースと「アップのみ」コースとでは、通常撮影においては移動を伴わない「アップのみ」コースの方が、撮影処理全体に要する時間が短くなる。そこで、撮影コースとして「アップのみ」コースが選択された場合に、いたずらムービー選択画面に顔ハメ画像を含む合成用動画像を表示させるようにし、「アップ＋全身」コースが選択された場合には、いたずらムービー選択画面に顔ハメ画像を含む合成用動画像を表示させないようにする。
【０２００】
これにより、撮影コース毎の撮影処理全体に要する時間の差を小さくすることができる。
【０２０１】
上述した実施の形態では、写真シール作成装置１は、得られた撮影画像や編集画像をシール紙に印刷するとともに、サーバに送信することで利用者の携帯端末に提供する構成を採るものとした。これに限らず、撮影画像や編集画像をシール紙に印刷せずに、サーバに送信することで利用者の携帯端末に提供するのみの構成を採ることも可能である。また逆に、撮影画像や編集画像をサーバに送信せずに、シール紙に印刷するのみの構成を採ることも可能である。
【０２０２】
すなわち、本技術は、撮影画像や編集画像がシール紙に印刷された写真シールを作成する写真シール作成装置に限らず、単に、撮影画像や編集画像を作成するゲームを提供する写真作成ゲーム機に適用することができる。
【０２０３】
上述した一連の処理は、ハードウェアにより実行させることもできるし、ソフトウェアにより実行させることもできる。上述した一連の処理をソフトウェアにより実行させる場合には、そのソフトウェアを構成するプログラムが、ネットワークや記録媒体からインストールされる。
【０２０４】
この記録媒体は、例えば、図９に示されるように、装置本体とは別に、写真シール作成装置１の管理者にプログラムを配信するために配布される、そのプログラムが記録されている磁気ディスク（フレキシブルディスクを含む）、光ディスク（CD-ROMおよびDVDを含む）、光磁気ディスク、もしくは半導体メモリなどよりなるリムーバブルメディア２０５により構成される。また、これらだけでなく、記録媒体は、装置本体にあらかじめ組み込まれた状態で管理者に配信されるプログラムが記録されているROM２０６や、記憶部２０２に含まれるハードディスクなどで構成される。
【０２０５】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０２０６】
以上において、印刷媒体は、シール紙や写真紙に限られるものではない。例えば、所定のサイズの紙やフィルム、プリペイドカードやIC（Integrated Circuit）カードなどのカード、あるいは、Ｔシャツなどの布地などに、画像を印刷するようにしてもよい。この場合、１または複数の撮影画像が配置されたシールレイアウト画像が、これらの印刷媒体に印刷されるようにしてもよい。
【０２０７】
また、本技術の実施の形態は、上述した実施の形態に限定されるものではなく、本技術の要旨を逸脱しない範囲において種々の変更が可能である。
【符号の説明】
【０２０８】
１  写真シール作成装置
２０１  制御部
３０１  事前選択処理部
３０２  撮影処理部
３０３  編集処理部
３０４  印刷処理部
３１１  表示制御部
３１２  選択受付部
３１３  ガイダンス出力制御部
３２１  表示制御部
３２２  撮影制御部
３２３  合成部
３２４  ガイダンス出力制御部
【図１】
2018133770.tif 000003
【図２】
2018133770.tif 000004
【図３】
2018133770.tif 000005
【図４】
2018133770.tif 000006
【図５】
2018133770.tif 000007
【図６】
2018133770.tif 000008
【図７】
2018133770.tif 000009
【図８】
2018133770.tif 000010
【図９】
2018133770.tif 000011
【図１０】
2018133770.tif 000012
【図１１】
2018133770.tif 000013
【図１２】
2018133770.tif 000014
【図１３】
2018133770.tif 000015
【図１４】
2018133770.tif 000016
【図１５】
2018133770.tif 000017
【図１６】
2018133770.tif 000018
【図１７】
2018133770.tif 000019
【図１８】
2018133770.tif 000020
【図１９】
2018133770.tif 000021
【図２０】
2018133770.tif 000022
【図２１】
2018133770.tif 000023